(57)【要約】      （修正有）【課題】広い足踏み領域を確保した上で重量増を抑制し、かつ踏板材及び補強板材を形成するための板取り面積を小さくする足場用階段を提供する。【解決手段】横架材に係止可能な係合部を両端に備え対となって平行配置される角パイプ１４ａと、左右端が角パイプ１４ａに溶接される複数の踏板材１５とを有し、踏板材１５は左右幅が角パイプ１４ａの間隔より狭く、角パイプ１４ａから側面視して突出した張出板部１９を備える足場用階段であって、各踏板材１５の前後には踏板材１５を折り曲げた折曲げ部２１、２２を有し、前側の折曲げ部２１の左右両側には、下部が角パイプ１４ａの内側に踏板材１５の溶接箇所と距離を有してそれぞれ溶接された左右の補強板材２４の上部が溶接され、補強板材２４で側面視して角パイプ１４ａから突出した部分は、平面視して張出板部１９内に収まる。【選択図】図３
0003162943.tif 000002
【実用新案登録請求の範囲】
【請求項１】
横架材に係止可能な係合部を両端に備え対となって平行配置される金属製の角パイプと、前記対となる角パイプの内側にあって所定間隔で配置され、左右端が前記対となる角パイプに溶接される複数の金属製の踏板材とを有し、前記踏板材は前記対となる角パイプから側面視して外側に突出した張出板部を備え、該張出板部の左右幅が前記対となる角パイプの間隔より狭い足場用階段であって、
前記各踏板材の前後には該踏板材を折り曲げて形成した折曲げ部を有し、１１０〜１３０度の範囲で折り曲げられた前側の該折曲げ部の左右両側には、下部が前記対となる角パイプの内側に前記踏板材の溶接箇所とは距離を有してそれぞれ溶接された左右の補強板材の上部が溶接され、更に、前記左右の補強板材で側面視して前記対となる角パイプから突出した部分は、平面視して前記張出板部内に収まることを特徴とする足場用階段。
【請求項２】
請求項１記載の足場用階段において、前記踏板材には、バーリング加工がなされた複数の滑り止め孔が形成されていることを特徴とする足場用階段。
【請求項３】
請求項１又は２記載の足場用階段において、前記補強板材はＬ字状の平面板材であることを特徴とする足場用階段。
【考案の詳細な説明】
【技術分野】
【０００１】
本考案は、建築現場等で用いられる足場用階段に関する。
【背景技術】
【０００２】
建築現場等では、建築途中の建物の周囲に作業者の作業床等を確保するための仮設足場が設けられ、仮設足場には、作業者が上り下りするのに使用される足場用階段が取り付けられる。足場用階段には、作業者が安全に上り下りできるように足踏み領域を広くしたものがあり、その具体例が特許文献１、２に記載されている。
特許文献１、２の足場用階段は共に踏板材（ステッププレート）が側面視して左右一対のパイプ材（支持材）から突出しており、広い足踏み領域を確保している。また、足場用階段を重ねた際、一の足場用階段の踏板材の突出した部分が他の足場用階段のパイプ材の内側に挟まれて取り外しにくくなるのを防ぐため、踏板材の突出した部分は、左右幅が一対のパイプ材の間隔より狭く形成されている。
【先行技術文献】
【特許文献】
【０００３】
【特許文献１】特許第４１７７８２７号公報
【特許文献２】特開２００９−３０３４３号公報
【考案の概要】
【考案が解決しようとする課題】
【０００４】
しかしながら、特許文献１の足場用階段は、踏板材を支持する補強板材（補強プレート）が左右一対のパイプ材の間隔と略同幅の矩形状に形成されているため、補強板材自体にある程度の重量があり、この補強板材を複数設けることにより足場用階段は重くなる。そして、踏板材と補強板材は、一枚の金属製の板体を屈曲して形成しているので、板取りの面積が大きいという問題があった。
また、特許文献２の足場用階段は、踏板材を支持するブラケットをパイプ材に溶接している箇所が、踏板材のパイプ材への溶接箇所に近接しているため、ブラケットに生じる負荷が大きく、強度を確保するためにブラケットを厚くする必要があり、特許文献１と同様に、足場用階段が重くなるという問題があった。
本考案はかかる事情に鑑みてなされたもので、広い足踏み領域を確保した上で足場用階段全体の重量増を抑制し、更に踏板材及び補強板材を形成するための板取り面積を小さくする足場用階段を提供することを目的とする。
【課題を解決するための手段】
【０００５】
前記目的に沿う本考案に係る足場用階段は、横架材に係止可能な係合部を両端に備え対となって平行配置される金属製の角パイプと、前記対となる角パイプの内側にあって所定間隔で配置され、左右端が前記対となる角パイプに溶接される複数の金属製の踏板材とを有し、前記踏板材は前記対となる角パイプから側面視して外側に突出した張出板部を備え、該張出板部の左右幅が前記対となる角パイプの間隔より狭い足場用階段であって、前記各踏板材の前後には該踏板材を折り曲げて形成した折曲げ部を有し、１１０〜１３０度の範囲で折り曲げられた前側の該折曲げ部の左右両側には、下部が前記対となる角パイプの内側に前記踏板材の溶接箇所とは距離を有してそれぞれ溶接された左右の補強板材の上部が溶接され、更に、前記左右の補強板材で側面視して前記対となる角パイプから突出した部分は、平面視して前記張出板部内に収まる。
【０００６】
本考案に係る足場用階段において、前記踏板材には、バーリング加工がなされた複数の滑り止め孔が形成されているのが好ましい。
【０００７】
本考案に係る足場用階段において、前記補強板材はＬ字状の平面板材であるのが好ましい。
【考案の効果】
【０００８】
請求項１〜３記載の足場用階段は、踏板材が対となる角パイプから側面視して外側に突出した張出板部を備えるので、足場用階段を上り下りする作業者に広い足踏み領域を確保することができる。
また、踏板材の前側の折曲げ部の左右両側には、下部が対となる角パイプの内側に踏板材の溶接箇所とは距離を有してそれぞれ溶接された左右の補強板材の上部が溶接されているので、１）踏板材は踏板材と同幅の板材を用いることなく支持され、２）補強板材（下部）と角パイプの溶接箇所が、踏板材と角パイプの溶接箇所と近接している場合に比べ、踏板材を支持する補強板材に生じる負荷が小さく、踏板材の厚みを薄くすることができ、足場用階段の軽量化を図ることが可能である。
【０００９】
そして、補強板材は踏板材とは別の板材であって、踏板材の折曲げ部の左右両側に溶接される補強板材の上部の幅が踏板材の幅より狭いため、補強板材と踏板材を一枚の板材を屈曲して形成するものに比べ補強板材及び踏板材を形成するための板取り面積を小さくすることができる。
更に、張出板部は左右幅が対となる角パイプの間隔より狭く、かつ左右の補強板材で側面視して角パイプから突出した部分は、平面視して踏板材の張出板部内に収まるので、足場用階段は、一の足場用階段の側面視して角パイプから突出した部位を、他の足場用階段の角パイプに接触させることなく重ね合わすことができ、重ね合わされた足場用階段は摩擦力の発生なしに容易に引き離すことが可能である。
【００１０】
特に、請求項２記載の足場用階段は、踏板材に、バーリング加工がなされた複数の滑り止め孔が形成されているので、作業者が足を滑らせることなく足場用階段の上り下り可能な環境を提供することができる。
【００１１】
請求項３記載の足場用階段は、補強板材がＬ字状の平面板材であるので、補強板材は、製造工程において曲げ加工等を要さず、製造コストを低減可能である。
【図面の簡単な説明】
【００１２】
【図１】（Ａ）、（Ｂ）はそれぞれ、本考案の一実施の形態に係る足場用階段の部分平面図及び部分正面図である。
【図２】同足場用階段の側面図である。
【図３】同足場用階段の部分側面図である。
【考案を実施するための形態】
【００１３】
続いて、添付した図面を参照しつつ、本考案を具体化した実施の形態につき説明し、本考案の理解に供する。
図１〜図３に示すように、本考案の一実施の形態に係る足場用階段１０は、横架材１１、１１ａに係止可能な係合部１２、１３を両端に備え対となって平行配置される金属製の角パイプ１４、１４ａと、対となる角パイプ１４、１４ａの内側にあって所定間隔で配置され、左右端が対となる角パイプ１４、１４ａに溶接される複数の金属製の踏板材１５とを有している。
なお、横架材１１、１１ａは、仮設足場において手すり等を形成する水平配置された丸パイプであり、横架材１１は横架材１１ａより高い位置に設けられている。
【００１４】
図１（Ａ）、（Ｂ）、図２に示すように、角パイプ１４、１４ａは、２〜３ｍの長さを有し、厚みが１．５〜１．８ｍｍで、断面は、長辺が４０〜６０ｍｍで短辺が１５〜３０ｍｍの矩形である。また、角パイプ１４、１４ａは表面に錆防止のためのメッキ処理がなされている。
係合部１２、１３は、角パイプ１４（角パイプ１４ａについても同じ）の一側端部及び他側端部にそれぞれ設けられている。足場用階段１０は、係合部１２、１３を横架材１１、１１ａにそれぞれ係止することによって、角パイプ１４、１４ａが斜めとなった状態で横架材１１、１１ａに固定される。
【００１５】
係合部１２は、角パイプ１４に周知のねじ部材によって固定されたＣ字状の平面板材１６を備え、その平面板材１６によって横架材１１の外周の上側半分を含む略３／４の領域を囲むようにして、横架材１１に係止される。また、係合部１２は角パイプ１４に対する取付け角度が変更可能であり、平面板材１６は係合部１２、１３を係止する横架材の位置関係に応じて、その向きが調整される。
係合部１３はＵ字状の平面板材１７を備え、そのＵ字状の平面板材１７の内周領域を斜め上側から横架材１１ａに当接して、横架材１１ａに係止される。
以下、係合部１２、１３が横架材１１、１１ａにそれぞれ掛止されているときの足場用階段１０の姿勢（図２に示すように、角パイプ１４、１４ａが傾斜配置された状態）を基準にして足場用階段１０を構成している各部材等の位置を記載する。
【００１６】
対となる角パイプ１４、１４ａの内側には、複数（本実施の形態では７つ）の踏板材１５が等間隔で配置されている。
踏板材１５は、図１（Ａ）、（Ｂ）、図３に示すように、基側が角パイプ１４、１４ａに溶接され、溶接された部分より先側に、側面視して角パイプ１４、１４ａから外側に突出した張出板部１９を有し、この張出板部１９によって、足場用階段１０を上り下りする作業者の足踏み領域に一定以上の広さ（例えば、踏板材１５の横幅は３００〜４００ｍｍ、奥行きは１７０〜２００ｍｍで５１０００〜８００００ｍｍ２の面積を有する）を確保している。
張出板部１９は矩形であり、左右幅が角パイプ１４、１４ａの間隔より狭くなるように形成され、平面視して張出板部１９と角パイプ１４の間、及び張出板部１９と角パイプ１４ａの間にはそれぞれ８〜１５ｍｍの隙間が設けられている。
【００１７】
踏板材１５は、張出板部１９を含む全体に、周縁がバーリング加工によって踏板材１５の表面側（上方）に突出した複数の滑り止め孔２０が形成されている。
踏板材１５の前後には、踏板材１５を折り曲げて形成した折曲げ部２１、２２がそれぞれ設けられ、踏板材１５はこの折曲げ部２１、２２によって強度が保たれている。
前側の折曲げ部２１は、踏板材１８をθ１（１１０°≦θ１≦１３０°）折り曲げて形成され、後側の折曲げ部２２は、踏板材１８をθ２（８０°≦θ２≦１００°）折り曲げて形成されている。
踏板材１５は、張出板部１９より基側にある部位（後側の折曲げ部２２を含む）の左端及び右端が、角パイプ１４、１４ａにそれぞれ溶接されている。
【００１８】
前側の折曲げ部２１は矩形の板状であり、折曲げ部２１の左側及び右側（両側）には、踏板材１５を下から支持する補強板材２３、２４がそれぞれ固定されている。
補強板材２３、２４はそれぞれ、厚みが２．５〜３．５ｍｍのＬ字状の平面板材である。補強板材２３、２４は、上部が折曲げ部２１の左側及び右側にそれぞれ溶接され、下部が角パイプ１４の内側面及び角パイプ１４ａの内側面にそれぞれ溶接されている。
補強板材２３（補強板材２４についても同じ）の上部は、折曲げ部２１に重合している。また、補強板材２３の下部は、踏板材１５を角パイプ１４に溶接している箇所（即ち踏板材１５の基側）とは、例えば１３０〜１７０ｍｍの距離を有して角パイプ１４に溶接され、踏板材１５を支持するにあたって補強板材２３の上部及び下部の溶接箇所、ならびに補強板材２３にそれぞれ生じる負荷を抑制している。
【００１９】
補強板材２３は、側面視して角パイプ１４、１４ａから突出し、上側が折曲げ部２１に溶接されている矩形の長辺部２５と、長辺部２５の下端に連続して形成され、角パイプ１４、１４ａに溶接される左右方向に張出した短辺部２６によって構成されている。
長辺部２５は、平面視して張出板部１９内に収まる位置に配置されており、足場用階段１０の側面視して角パイプ１４、１４ａから突出する部位（即ち張出板部１９及び長辺部２５）は、平面視して角パイプ１４、１４ａの内側に配置されていることになる。
従って、図３に示すように、複数の足場用階段１０を重ね合わせる際、足場用階段１０は、一の足場用階段１０（仮想線で示す）の角パイプ１４、１４ａの間に、他の足場用階段１０（実線で示す）の張出板部１９及び長辺部２５（即ち、側面視して角パイプ１４、１４ａから突出した部分）が嵌入して、上下の足場用階段１０の角パイプ１４、１４ａが重なる。これによって、一の足場用階段１０の角パイプ１４、１４ａが、他の足場用階段１０の張出板部１９又は長辺部２５を挟んだ状態にはならず、重ね合わされた足場用階段１０を引き離すのが困難になるのを回避することができる。
【００２０】
以上、本考案の実施の形態を説明したが、本考案は、上記した形態に限定されるものでなく、要旨を逸脱しない条件の変更等は全て本考案の適用範囲である。
例えば、角パイプ等の足場用階段を構成する部材、部品は、前述した大きさに限定されず、足場用階段を用いる仮設足場に合わせて適当な大きさにすることができる。
【符号の説明】
【００２１】
１０：足場用階段、１１、１１ａ：横架材、１２、１３：係合部、１４、１４ａ：角パイプ、１５：踏板材、１６、１７：平面板材、１９：張出板部、２０：滑り止め孔、２１、２２：折曲げ部、２３、２４：補強板材、２５：長辺部、２６：短辺部
【図１】
0003162943.tif 000003
【図２】
0003162943.tif 000004
【図３】
0003162943.tif 000005